(57)【要約】【課題】高欄寄りのアンカーボルトに対してもねじ切りを行うことができ、先願に係る構造物用基礎の補修方法の実用化に寄与し得る動力式ねじ切り装置を提供する。【解決手段】ねじ切り装置Ａは、基礎コンクリート２に埋設されたアンカーボルト３の空洞穴２０内で露出する部位にねじ部２１を形成するためのもので、基礎コンクリート上面に載置される支持台３０と、支持台に設けられかつ下端部が空洞穴内に挿入されるガイド部材３４と、ガイド部材内に上下摺動及び回転可能に嵌合しかつ内周面側にねじ切りダイスを保持するダイス保持具５２と、支持台のアンカーボルトと同軸上の部位に回転自在に支持され、下端部がダイス保持具に回転一体にかつ上下摺動可能に嵌合する回転ロッド４１と、支持台に出力軸４３ａを下向きにかつアンカーボルトと水平方向に所定距離隔てて取り付けられた動力源４３と、その回転力を回転ロッドに伝達する伝達機構５０とを備える。【選択図】図１
2005246581.tif 000002
【特許請求の範囲】
【請求項１】
基礎コンクリートに埋設されたアンカーボルトの周囲にアンカーボルトの埋設部分の一部が露出するように空洞穴を掘削した後、このアンカーボルトの空洞穴内で露出する部位にねじ部を形成するために使用する動力式ねじ切り装置であって、
基礎コンクリートの上面に載置される支持台と、
この支持台に設けられかつ下端部が上記空洞穴内に挿入される略円筒状のガイド部材と、
このガイド部材内に上下摺動及び回転可能に嵌合しかつ内周面側にねじ切りダイスを保持する略円筒状のダイス保持具と、
上記支持台のアンカーボルトと同軸上の部位に回転自在に支持され、下端部が上記ダイス保持具に回転一体にかつ上下摺動可能に嵌合する回転ロッドと、
上記支持台に出力軸を下向きにかつ上記アンカーボルトと水平方向に所定距離隔てて取り付けられた動力源と、
この動力源の出力軸から出力される回転力を上記回転ロッドに伝達する回転力伝達機構とを備えたことを特徴とする動力式ねじ切り装置。
【請求項２】
上記支持台に回動可能に支持された押さえアームを備えており、この押さえアームは、一端部に上記ダイス保持具の上面の回転ロッドを挟む２個所に当接可能な二股状の押さえ部を、他端部に握り部をそれぞれ有してなる請求項１記載の動力式ねじ切り装置。
【請求項３】
上記押さえアームの押さえ部の各先端にはそれぞれダイス保持具の上面と接触可能な小球が回転自在に設けられている請求項２記載の動力式ねじ切り装置。
【請求項４】
上記ダイス保持具に嵌合する回転ロッドの外周には、ねじ切り後にダイス保持具をアンカーボルトから切り離すためのコイルばねが配置されている請求項１ないし請求項３のいずれか一つに記載の動力式ねじ切り装置。
【請求項５】
上記支持台は、基礎コンクリートの他のアンカーボルトにターンバックルを介して連結されている請求項１ないし請求項４のいずれか一つに記載の動力式ねじ切り装置。
【発明の詳細な説明】
【技術分野】
【０００１】
本発明は、橋梁のコンクリート製高欄や道路の路肩などに照明柱、標識柱、防音壁又は建築用構造物を設置するための構造物用基礎を補修する場合に使用する動力式ねじ切り装置に関する。
【背景技術】
【０００２】
一般に、橋梁のコンクリート製高欄などに照明柱や標識柱などの柱状構造物を設置する場合には、例えば図１０ないし図１２に示すように、高欄1の路肩側に設けた設置台としての基礎コンクリート２に複数本（図では４本）のアンカーボルト３，３，…をそれぞれそのねじ部３ａを上方に突出した状態で埋設し、この各アンカーボルト３のねじ部３ａに対し柱状構造物４のベースプレート５に設けたボルト孔６を外嵌しかつその上からナット７を螺合締結している。尚、図１０中、１０は高欄１の上面に設置された遮音壁であって、この遮音壁１０には柱状構造物４の設置個所に対応して開閉可能な点検口１１が設けられている。また、図１１中、１２は隣接するアンカーボルト３，３同士を連結するフレーム、１３は基礎コンクリート２の上面と柱状構造物４のベースプレート５との隙間を覆うモルタル材である。
【０００３】
ところで、上記アンカーボルト３の寿命は、基礎コンクリート２のそれと同程度で半永久的なのものと従来考えられていたが、近年、施工後数十年を経た柱状構造物用基礎について、柱状構造物４のベースプレート５を取り外して検査したところ、アンカーボルト３のナット７と螺合する部位は問題がないものの、その部位よりも下側で基礎コンクリート２の上面より露出した箇所、つまりベースプレート５のボルト孔６に対応する部位及びモルタル材１３で覆われた部位において予想以上に錆が生じていることが発見され、アンカーボルト３の劣化が問題になっている。
【０００４】
そこで、本出願人は、先に、このような問題を解決するための適切な対応策として、アンカーボルト３の基礎コンクリート２に埋設されている部分が外気に晒されず錆も生じていないことに着目し、この部分を有効に利用する構造物用基礎の補修方法を提案している（特願２００２−３５０３６５明細書及び図面参照）。
【０００５】
この提案の一つの具体的な補修方法では、先ず、図１３に示すように、基礎コンクリート２のアンカーボルト３周囲にアンカーボルト３の埋設部分の一部が露出するように空洞穴２０を掘削し、その後、アンカーボルト３のねじ部３ａを切断する。続いて、アンカーボルト３の空洞穴２０内に露出する部位に新しいねじ部２１（図１４参照）を形成する。次に、図１４に示すように、一端部にねじ部２２ａが、他端部に上記空洞穴２０内で露出するアンカーボルト３の新しいねじ部２１に螺合可能なねじ穴２２ｂがそれぞれ形成された棒状の連結金具２２を用意し、この連結金具２２のねじ穴２２ｂをアンカーボルト３の新しいねじ部２１に螺合締結する。しかる後、空洞穴２０内に樹脂接着材２３を連結金具２２のねじ穴２２ｂ側端部が埋没する状態にまで注入するとともに、柱状構造物４のベースプレート５下面の各ボルト孔６周囲にシール材２４を配置し、この柱状構造物４のベースプレート５のボルト孔６を連結金具２２のねじ部２２ａに外嵌しながらシール材２４及びライナー材２５を介在してベースプレート５を基礎コンクリート２の上面に載置する。続いて、ベースプレート５のボルト孔６と連結金具２２との隙間などに軟質樹脂材２６を注入した後、ベースプレート５の上からナット２７を連結金具２２のねじ部２２ａに螺合締結する。最後に、基礎コンクリート２の上面とベースプレート５との隙間、特にベースプレート５の周囲を覆うようにモルタル材２８を注入して固化させる。
【０００６】
また、先の出願（特願２００２―３５０３６５）では、アンカーボルト３の空洞穴２０内に露出する部位にねじ部２１を形成するために使用する動力式ねじ切り装置を併せて提案している。この動力式ねじ切り装置は、図１５に示すように、基礎コンクリート２の上面に載置される２層３段構造の支持台１０１と、この支持台１０１の下段部１０１ａと中段部１０１ｂとの間に跨って設けられかつ下端部が空洞穴２０内に挿入される略円筒状のガイド部材１０２と、このガイド部材１０２内に上下摺動及び回転可能に嵌合しかつ内周面側にねじ切りダイス１０３を保持する略円筒状のダイス保持具１０４と、上記支持台１０１の上段部１０１ｃ上に出力軸１０５ａを下向きにかつアンカーボルト３と同軸上に位置させて取り付けられたモータなどからなる動力源１０５と、上端部がこの動力源１０５の出力軸１０５ａに動力伝達可能に連結され、下端部が上記ダイス保持具１０４に回転一体にかつ上下摺動可能に嵌合する伝達ロッド１０６と、上記ダイス保持具１０４と伝達ロッド１０６との間に圧縮状態に配置され、少なくともねじ切り開始初期ダイス保持具１０４をアンカーボルト３側に付勢するコイルばね１０７とを備える。そして、図示の如き状態に設置した後、動力源１０５を作動させてダイス保持具１０４を回転させるとねじ切りダイス１０３がコイルばね１０７の付勢力を受けながらアンカーボルト３に切り込んでねじ切りを開始し、このねじ切りが進行するに従ってダイス保持具１０４がガイド部材１０２内を降下しながらねじ切りを続行するようになっている。尚、図１５中、１０８は支持台１０１の下段部１０１ａと基礎コンクリート２のねじ切り対象であるアンカーボルト３と隣接する他のアンカーボルト３とを連結する回転止め部材である。
【発明の開示】
【発明が解決しようとする課題】
【０００７】
ところが、高欄１の路肩側に設けた基礎コンクリート２においては、高欄１寄りのアンカーボルト３が高欄１に非常に接近して設けられているとともに、高欄１上の遮音壁１０の点検口１１付近に外側つまり柱状構造物４寄りに突出するひさしなどの突出部１４が設けられていることがある。このため、高欄１寄りのアンカーボルト３の周囲にアンカーボルト３の埋設部分の一部が露出するように空洞穴２０を掘削し、このアンカーボルト３の空洞穴２０内で露出する部位にねじ部２１を形成するために、上記先願の動力式ねじ切り装置を使用する場合、動力源１０５が上記突出部１４に当たってねじ切り装置を所定の状態に設置することができないという不具合がある。
【０００８】
また、先願の動力式ねじ切り装置では、ダイス保持具１０４と伝達ロッド１０６との間に圧縮状態に配置したコイルばね１０７によりねじ切り開始初期ダイス保持具１０４をアンカーボルト３側に付勢するようにしたが、このコイルばね１０７の付勢力を小さくすればねじ切りダイス１０３が空転してねじ切りができない反面、大きくすれば装置が浮き上がるなどの問題があり、その設定が難しいなどの欠点もある。
【０００９】
本発明はかかる点に鑑みてなされたものであり、その課題とするところは、先願の動力式ねじ切り装置に対し改良を加えて、高欄１寄りのアンカーボルト３に対してもねじ切りを行うことができ、先願に係る構造物用基礎の補修方法の実用化に寄与し得る動力式ねじ切り装置を提供せんとするものである。
【課題を解決するための手段】
【００１０】
上記の課題を解決するため、請求項１に係る発明は、基礎コンクリートに埋設されたアンカーボルトの周囲にアンカーボルトの埋設部分の一部が露出するように空洞穴を掘削した後、このアンカーボルトの空洞穴内で露出する部位にねじ部を形成するために使用する動力式ねじ切り装置として、基礎コンクリートの上面に載置される支持台と、この支持台に設けられかつ下端部が上記空洞穴内に挿入される略円筒状のガイド部材と、このガイド部材内に上下摺動及び回転可能に嵌合しかつ内周面側にねじ切りダイスを保持する略円筒状のダイス保持具と、上記支持台のアンカーボルトと同軸上の部位に回転自在に支持され、下端部が上記ダイス保持具に回転一体にかつ上下摺動可能に嵌合する回転ロッドと、上記支持台に出力軸を下向きにかつ上記アンカーボルトと水平方向に所定距離隔てて取り付けられた動力源と、この動力源の出力軸から出力される回転力を上記回転ロッドに伝達する回転力伝達機構とを備える構成とする。
【００１１】
この構成では、支持台上の動力源が基礎コンクリートのねじ切り対象であるアンカーボルトと同軸上ではなく水平方向に所定距離隔てて取り付けられているため、高欄寄りのアンカーボルトに対しねじ切りを行う場合でも動力源が高欄側の突出部と干渉することなく、ねじ切り装置を所定の状態に設置することができる。そして、設置後に動力源を作動させたときには、その出力軸の回転力が回転力伝達機構及び回転ロッドを介してダイス保持具に伝達され、このダイス保持具と一体にねじ切りダイスが回転することにより、アンカーボルトの空洞穴内に露出する部位に対するねじ切りを行うことができる。
【００１２】
請求項２に係る発明は、請求項１記載の動力式ねじ切り装置において、更に、上記支持台に回動可能に支持された押さえアームを備え、この押さえアームが、一端部に上記ダイス保持具の上面の回転ロッドを挟む２個所に当接可能な二股状の押さえ部を、他端部に握り部をそれぞれ有してなる構成とする。この構成では、ねじ切りの開始初期には作業者が押さえアームの握り部を持ち上げてその押さえ部でダイス保持具上面の回転ロッドを挟む２個所を押さえることにより、ねじ切りダイスがアンカーボルトに確実に切り込んでねじ切りを開始することになる。
【００１３】
請求項３に係る発明は、請求項２記載の動力式ねじ切り装置において、上記押さえアームの押さえ部の各先端に、それぞれダイス保持具の上面と接触可能な小球を回転自在に設ける構成とする。この構成では、ねじ切りの開始初期に押さえアームの押さえ部でダイス保持具上面の回転ロッドを挟む２個所を押さえるとき、この押さえ部の各先端に設けた小球がダイス保持具の上面に接触しながらダイス保持具の回転に伴って回転することにより、ダイス保持具の回転に支障を来すことなくダイス保持具の押さえ付けひいてはねじ切りの開始を確実に行うことができる。
【００１４】
請求項４に係る発明は、請求項１ないし請求項３のいずれか一つに記載の動力式ねじ切り装置において、上記ダイス保持具に嵌合する回転ロッドの外周に、ねじ切り後にダイス保持具をアンカーボルトから切り離すためのコイルばねを配置する構成とする。この構成では、ねじ切り後に動力源の出力軸を逆回転させてねじ切りダイスをアンカーボルトに形成したねじ部から切り離す際、ダイス保持具に嵌合する回転ロッドの外周に配置したコイルばねによりダイス保持具及びねじ切りダイスがアンカーボルトから切り離されるため、アンカーボルトに形成したねじ部の先端がねじ切りダイスにより不必要に削り取られるのを防止することができる。
【００１５】
請求項５に係る発明は、請求項１ないし請求項４のいずれか一つに記載の動力式ねじ切り装置において、上記支持台を、基礎コンクリートの他のアンカーボルトにターンバックルを介して連結する構成とする。この構成では、支持台がねじ切り対象であるアンカーボルト以外の他のアンカーボルトにターンバックルを介して連結されているため、動力源の作動時に支持台が動力源の出力軸の回転に伴って回転するのを確実に防止できる上、ターンバックルにより長さ調整を容易に行うことができ、またコスト的に安価に実施することができる。
【発明の効果】
【００１６】
以上のように、本発明の動力式ねじ切り装置によれば、支持台上の動力源が基礎コンクリートのねじ切り対象であるアンカーボルトと水平方向に所定距離隔てて取り付けられているため、高欄寄りのアンカーボルトに対しねじ切りを行う場合でも動力源が高欄側の突出部と干渉することなく、所定の状態に設置してねじ切りを行うことができ、先願に係る構造物用基礎の補修方法の実用化に寄与することができる。
【００１７】
特に、請求項２に係る発明では、ねじ切りの開始初期に作業者が押さえアームの握り部を持ち上げてその押さえ部でダイス保持具上面の回転ロッドを挟む２個所を押さえることにより、ねじ切りダイスがアンカーボルトに確実に切り込んでねじ切りを開始することができるので、実施化を容易に図ることができる。
【００１８】
請求項３に係る発明では、押さえアームの押さえ部でダイス保持具上面の回転ロッドを挟む２個所を押さえるとき、この押さえ部の各先端に設けた小球がダイス保持具の上面に接触しながらダイス保持具の回転に伴って回転することにより、ダイス保持具の回転に支障を来すことなくダイス保持具の押さえ付けひいてはねじ切りの開始を確実に行うことができるので、作動の信頼性を高めることができる。
【００１９】
請求項４に係る発明では、ねじ切り後に動力源の出力軸を逆回転させてねじ切りダイスをアンカーボルトに形成したねじ部から切り離す際にコイルばねによりダイス保持具及びねじ切りダイスがアンカーボルトから切り離されるため、アンカーボルトに形成したねじ部の先端がねじ切りダイスにより不必要に削り取られるのを防止することができ、ねじ切り欠陥の防止化を図ることができる。
【００２０】
さらに、請求項５に係る発明では、支持台がねじ切り対象であるアンカーボルト以外の他のアンカーボルトにターンバックルを介して連結されているため、動力源の作動時に支持台が動力源の出力軸の回転に伴って回転するのを確実に防止できる上、ターンバックルにより長さ調整を容易に行うことができ、またコスト的に安価に実施することができるので、実施化を図る上で非常に有効なものである。
【発明を実施するための最良の形態】
【００２１】
以下、本発明を実施するための最良の形態である実施形態を図面に基づいて説明する。
【００２２】
図１ないし図４は本発明の一実施形態に係る動力式ねじ切り装置Ａの全体構成を示す。この動力式ねじ切り装置Ａは、基礎コンクリート２に埋設されたアンカーボルト３の周囲にアンカーボルト３の埋設部分の一部が露出するように空洞穴２０を掘削した後、このアンカーボルト３の空洞穴２０内で露出する部位にねじ部２１（図１４参照）を形成するために使用するもので、基礎コンクリート２の上面に載置される支持台３０を備えている。
【００２３】
上記支持台３０は、下段部３１と上段部３２とを一対のチャンネル状の鋼鉄製のフレーム３３，３３により連結してなる２段構造のものである。支持台３０の下段部３１は、１つの板状鋼材３１ａと複数の棒状鋼材３１ｂ，３１ｂ，…とを組み合わせてなり、その板状鋼材３１ａの中央部には中心線を挟んで左右にそれぞれフレーム３３の下端が接続されているとともに、板状鋼材３１ａの一端部には略円筒状のガイド部材３４が上下方向に貫通して設けられている。このガイド部材３４は、図５に示すように、その上部側の円筒部３４ａと、この円筒部３４ａの下端に形成されかつ支持台３０の下段部３１の板状鋼材３１ａ下面に接合されるフランジ部３４ｂと、円筒部３４ａと同一寸法の円筒状部材の軸線を挟む両側を、後述するねじ切りダイス５６の取り換えのために切除してなる一対の断面円弧状の挿入部３４ｃ，３４ｃと、この両挿入部３４ｃ，３４ｃの先端同士を連結しかつ中心にアンカーボルト位置決め孔３４ｄを有する底部３４ｅとからなる。また、支持台３０の下段部３１には、その中心線を挟む左右対称の２個所にそれぞれ上方に突出するピン３５が設けられているとともに、左右対称の６個所にそれぞれ高さ調整用ボルト３６が設けられている。そして、支持台３０は、下段部３１のガイド部材３４の下端部である一対の挿入部３４ｃ，３４ｃ及び底部３４ｅを基礎コンクリート２のねじ切り対象であるアンカーボルト３の周囲に掘削した空洞穴２０内に挿入して基礎コンクリート２の上面に載置され、この載置状態は、上記ボルト３６により調整される。また、ガイド部材３４の両挿入部３４ｃ，３４ｃ及び底部３４ｅを空洞穴２０内に挿入する際には、ガイド部材３４の底部３４ｅのアンカーボルト位置決め孔３４ｄをアンカーボルト３に外嵌することにより位置決めが行われる。
【００２４】
上記各ピン３５にはそれぞれアイ型ターンバックル３７の一方のアイ部３７ａが掛け止めされ、このターンバックル３７の他方のアイ部３７ｂは、基礎コンクリート２のねじ切り対象であるアンカーボルト３と隣接する他のアンカーボルト３の装着した回転止めソケット３８に設けたピン３９に掛け止めされている。よって、支持台３０の下段部３１は、上記ターンバックル３７及び回転止めソケット３８を介して基礎コンクリート２のねじ切り対象であるアンカーボルト３と隣接する他のアンカーボルト３に連結されている。
【００２５】
一方、上記支持台３０の上段部３２は、中心線を挟んで左右対称形の１つの板状鋼材からなり、この上段部３２の中央部には中心線を挟んで左右にそれぞれフレーム３３の上端が接続されている。上段部３２の一端部には下段部３１のガイド部材３４ひいては基礎コンクリート２のねじ切り対象であるアンカーボルト３と同軸上の部位に回転ロッド４１の上端部がベアリング４２を介して回転自在に支持されているとともに、上段部３２の中央部から他端部に亘って電動モータや減速機などからなる動力源４３がその出力軸４３ａを下向きにかつ上記アンカーボルト３と水平方向に所定距離隔てて取り付けられている。また、上段部３２の周縁部には上記動力源４３を囲むように保護枠４４が設けられている。
【００２６】
上記回転ロッド４１は、図６に示すように、鍔部４１ａより上側の断面が円形状で、下側の断面が略正方形状のものであり、この回転ロッド４１の鍔部４１ａより上側の部位にはドリブンギヤ４５が回転一体に装着されている。また、上記動力源４３の出力軸４３ａにはドライブギヤ４６が回転一体に装着され、このドライブギヤ４６及び上記ドリブンギヤ４５に共に噛合するアイドラギヤ４７がベアリング４８及び歯車ピン４９などを介して支持台３０の上段部３２に吊り下げ状態で回転自在に支持されている。この３連のギヤ４５〜４７により、動力源４３の出力軸４３ａから出力される回転力を回転ロッド４１に伝達する回転力伝達機構５０が構成されており、この回転力伝達機構５０の周辺は、支持台３０の上段部３２の一端部側周縁に取り付けた保護カバー５１により囲まれている。
【００２７】
また、上記回転ロッド４１の鍔部４１ａより下側の部位には、ガイド部材３４内に上下摺動及び回転可能に嵌合する略円筒状のダイス保持具５２が装着されている。このダイス保持具５２は、図７に示すように、その中心軸に沿って上側から略正方形状の第１孔５３とこの第１孔５３の一辺と略同一長さを半径とする円形状の第２孔５４とこの第２孔５４よりも一回り大きい円形状の第３孔５５とが連続して形成され、上端にフランジ部５２ａが一体形成されてなる。ダイス保持具５２の第１孔５３内には回転ロッド４１の鍔部４１より下側の部位が回転一体にかつ上下摺動可能に嵌合されているとともに、ダイス保持具５２の第３孔５５内には内周面に円周方向に等間隔に４つの刃部５６ａ，５６ａ，…を有するねじ切りダイス５６が嵌合されかつ止めネジ５７により固定されている。また、ダイス保持具５２の第２孔５４内に第１孔５３側より挿入された回転ロッド４１の下部外周には、ねじ切り後にダイス保持具５２をアンカーボルト３から切り離すための圧縮コイルばね５８が配置され、この圧縮コイルばね５８の上端はダイス保持具５２の第１孔５３と第２孔５４との間の段差部に、圧縮コイルばね５８の下端は回転ロッド４１の下端に固定したばね座金５９にそれぞれ支持されている。
【００２８】
さらに、上記支持台３０の一対のフレーム３３，３３間には押さえアーム６１が水平軸６２回りに回動可能に支持されている。この押さえアーム６１は、図８に詳示するように、一端部に上記ダイス保持具５２の上面であるフランジ部５２ａの回転ロッド４１を挟む２個所に当接可能なＵ字型二股状の押さえ部６１ａを、他端部に球状の握り部６１ｂをそれぞれ有してなり、押さえ部６１ａの中央部に左右一対の水平軸６２，６２がそれぞれ外向きに突出して設けられ、この各水平軸６２の先端部は、フレーム３３に固定したアングル状のブラケット６３に回転可能に支持されている。また、押さえ部６１の各先端には、それぞれ図９に拡大詳示するように、ダイス保持具５２のフランジ部５２ａと接触可能な小球６４が保持部材６５などを介して回転自在に装着されている。
【００２９】
上記支持台３０の下段部３１上にはガイド部材３４に近接した位置に検出器としてのリミットスイッチ６６が取付部材６７を介して取り付けられている。このリミットスイッチ６６は、ガイド部材３４内をねじ切りに伴って下降するダイス保持具５２の下限位置をそのフランジ部５２ａとの接触により検出するもので、その検出信号は、動力源４３の作動を制御する制御部としての制御盤（図示せず）に入力される。この制御盤は、押しボタンの操作により動力源４３の出力軸４３ａを逆転するようになっている。
【００３０】
次に、上記動力式ねじ切り装置Ａを使用して基礎コンクリート２の高欄１寄りのアンカーボルト３に対しねじ切りを行う場合の作業手順について説明する。
【００３１】
先ず始めに、基礎コンクリート２のねじ切り対象である高欄１寄りのアンカーボルト３周囲の空洞穴２０内に支持台３０の下段部３１のガイド部材３４の挿入部３４ｃ及び底部３４ｅを挿入しながら支持台３０を基礎コンクリート２の上面に載置し、支持台３０の下段部３１の高さ調整用ボルト３６により支持台３０の載置状態を調整する。この際、支持台３０の上段部３２上の動力源４３は、基礎コンクリート２の高欄１寄りのアンカーボルト３と水平方向に所定距離隔てた位置に取り付けられているため、高欄１側の突出部１４（図１０参照）などと干渉することはなく、支持台３０を基礎コンクリート２の上面に所定の状態に載置することができる。
【００３２】
続いて、支持台３０の下段部３１と基礎コンクリート２の高欄１寄りのアンカーボルト３に隣接する他のアンカーボルト３とをターンバックル３７及び回転止めソケット３８を介して連結して支持台３０の回転止めを行う。この際、ターンバックル３８は、長さ調整が容易なものであるため、基礎コンクリート２の互いに隣接するアンカーボルト３，３同士間の長さが異なる場合でも同じターンバックル３８を用意するだけで足り、コストの低減化及び作業の容易化に寄与することができる。
【００３３】
そして、基礎コンクリート２の上面に支持台３０ひいてはねじ切り装置Ａを所定の状態に設置したとき、ダイス保持具５２は、その下端部が支持台３０の下段部３１のガイド部材３４内に嵌合しつつねじ切りダイス５６が基礎コンクリート２のアンカーボルト３の上端から離れた状態で圧縮コイルばね５８及びばね座金５９を介して回転ロッド４１に支持されている。また、押さえアーム６１は、図１に示すように握り部６１ｂ側が下に傾斜しており、押さえアーム６１の押さえ部６１ａは、ダイス保持具５２のフランジ部５２ａから離れている。
【００３４】
このような状態で動力源４３を作動させるとその出力軸４３ａの回転力は回転力伝達機構５０の３連ギヤ４５〜４７を介して回転ロッド４１及びダイス保持具５２に伝達され、ダイス保持具５２は、ガイド部材３４内に嵌合した状態のままねじ切りダイス５６と一体に回転する。
【００３５】
続いて、押さえアーム６１の握り部６１ｂ側を持ち上げて押さえアーム６１の押さえ部６１ａをダイス保持具５２のフランジ部５２ａに当接し、押さえアーム６１の握り部６１ｂ側を更に持ち上げてダイス保持具５２のフランジ部５２ａを圧縮コイルばね５８を圧縮しながらガイド部材３４内の下方に押し込み、ねじ切りダイス５６をアンカーボルト３の上端に押し当てる。すると、ねじ切りダイス５６がアンカーボルト３の上端に切り込んでねじ切りを開始する。この際、押さえアーム６１の押さえ部６１ａは、ダイス保持具５２のフランジ部５２ａの回転ロッド４１を挟む２個所を押さえるように二股状に形成されているため、ダイス保持具５２ないしねじ切りダイス５６に対し押し込み力を均一にすることができ、ねじ切りダイス５６によるアンカーボルト３への切り込みつまりねじ切り開始を確実に行うことができる。しかも、上記押さえ部６１ａの各先端にそれぞれダイス保持具５２のフランジ部５２ａと接触可能な小球６４が回転自在に設けられているため、ダイス保持具５２の回転に支障を来すことなくダイス保持具５２に押し込み力を確実に付与することができ、作動の信頼性を高めることができる。
【００３６】
ねじ切りダイス５６がアンカーボルト３の上端に切り込んでねじ切りを開始した後は押さえアーム６１の握り部６１ｂ側から手を離してもねじ切りが進行するに従ってダイス保持具５２がガイド部材３４内を降下しながらねじ切りを続行し、アンカーボルト３の空洞穴２０内に露出する部位にねじ部２１を形成する。そして、ダイス保持具５２が下限位置にまで降下するとそのフランジ部５２ａが支持台３０の下段部３１に設けたリミットスイッチ６６に接触し、このリミットスイッチ６６からの検出信号が制御盤に入力して動力源４３が停止する。その後、制御盤の逆転用押しボタンを押すと動力源４３の出力軸４３ａの回転方向が逆転することにより、ダイス保持具５２は、ねじ切り方向と反対方向に回転しながらガイド部材３４内を上昇する。
【００３７】
そして、ねじ切りダイス５６がアンカーボルト３に形成したねじ部２１の上端から抜けた際には、ねじ切り開始時に圧縮された圧縮コイルばね５８の弾発力によりダイス保持具５２及びねじ切りダイス５６がアンカーボルト３から切り離されるため、アンカーボルト３に形成したねじ部２１の上端がねじ切りダイス５６により不必要に削り取られるのを防止することができる。
【００３８】
しかる後、動力源４３の作動を停止させる。以上によって、基礎コンクリート２の高欄１寄りの１つのアンカーボルト３に対するねじ切り作業が終了する。
【００３９】
尚、本発明は上記実施形態に限定されるものではなく、その他種々の形態を包含するものである。例えば、上記実施形態では、基礎コンクリート２の上面に載置される支持台３０として、下段部３１と上段部３２とを一対のフレーム３３，３３で連結してなる２段構造のものを用いたが、本発明は、図１５に示す先願の如く３段構造のものを用いたり、その他の構造のものを用いたりしてもよい。
【００４０】
また、上記実施形態では、基礎コンクリート２のねじ切り対象であるアンカーボルト３と水平方向に所定距離隔てて支持台３０に取り付けた動力源４３の出力軸４３ａから出力される回転力を支持台３０のアンカーボルト３と同軸上の部位に回転自在に設けた回転ロッド４１に伝達する回転力伝達機構５０として、３連ギヤ４５〜４７を用いて構成したが、本発明は、これに限らず、その他のギヤ機構、ベルトとプーリとからなるベルト伝達機構などを用いて構成してもよい。
【図面の簡単な説明】
【００４１】
【図１】本発明の実施形態に係る動力式ねじ切り装置の一部を切開した側面図である。
【図２】図１のＸ−Ｘ線に沿って見た矢視図である。
【図３】図１のＹ−Ｙ線に沿って見た矢視図である。
【図４】図１のＺ−Ｚ線における断面図である。
【図５】（ａ）はガイド部材の縦断面図、（ｂ）は（ａ）のＭ−Ｍ線における断面図である。
【図６】（ａ）は回転ロッドの平面図、（ｂ）は同正面図、（ｃ）は同底面図である。
【図７】（ａ）はダイス保持具の平面図、（ｂ）は（ａ）のＮ−Ｎ線における断面図、（ｃ）は（ｂ）のＯ−Ｏ線における断面図である。
【図８】（ａ）は押さえアームの正面図、（ｂ）は同側面図である。
【図９】図８（ｂ）のＰ−Ｐ線における拡大断面図である。
【図１０】照明柱などの柱状構造物の設置構造を示す断面図である。
【図１１】図１０の要部を拡大した図である。
【図１２】図１１のＱ−Ｑ線における断面図である。
【図１３】先願に係る構造物用基礎の補修方法を説明するための補修途中の状態を示す断面図である。
【図１４】同じく補修後の状態を示す断面図である。
【図１５】先願に係る動力式ねじ切り装置の縦断側面図である。
【符号の説明】
【００４２】
Ａ    動力式ねじ切り装置
２    基礎コンクリート
３    アンカーボルト
２０    空洞穴
２１    ねじ部
３０    支持台
３４    ガイド部材
３７    ターンバックル
４１    回転ロッド
４３    動力源
４３ａ  出力軸
５０    回転力伝達機構
５２    ダイス保持具
５６    ねじ切りダイス
５８    圧縮コイルばね
６１    押さえアーム
６１ａ  押さえ部
６１ｂ  握り部
６４    小球
【図１】
2005246581.tif 000003
【図２】
2005246581.tif 000004
【図３】
2005246581.tif 000005
【図４】
2005246581.tif 000006
【図５】
2005246581.tif 000007
【図６】
2005246581.tif 000008
【図７】
2005246581.tif 000009
【図８】
2005246581.tif 000010
【図９】
2005246581.tif 000011
【図１０】
2005246581.tif 000012
【図１１】
2005246581.tif 000013
【図１２】
2005246581.tif 000014
【図１３】
2005246581.tif 000015
【図１４】
2005246581.tif 000016
【図１５】
2005246581.tif 000017